(57)【要約】【課題】原稿を傷つけることなく、様々な大きさの原稿の画像を容易に読み取り可能な画像読取装置及びこれを備える画像形成装置を提供すること。【解決手段】原稿台ガラス４１１と画像読取部４２０とを有する読取装置本体４１０と、原稿台カバー４０２と、ヒンジ本体４３１と電磁力でヒンジ本体４３１とを接続可能なヒンジ固定部４３２とを有し、主走査方向の一方側に配設される第１ヒンジ部４３０と、ヒンジ本体４４１と、電磁力でヒンジ本体４４１とを接続可能なヒンジ固定部４４２と、を有し、副走査方向における一方側に配設される第２ヒンジ部４４０と、ヒンジ固定部４３２及びヒンジ固定部４４２の一方を通電して、原稿台カバー４０２及び読取装置本体４１０の他方と、ヒンジ本体４３１及びヒンジ本体４４１の一方と、を電磁力で接続させる制御部１０４と、を備えた。【選択図】図２
2016063503.tif 000002
【特許請求の範囲】
【請求項１】
原稿を載置可能な原稿台ガラスと、前記原稿台ガラスに載置された原稿の画像を読み取る画像読取手段と、を有する読取装置本体と、
前記原稿台ガラスに載置された原稿を押圧可能な原稿台カバーと、
前記原稿台カバー及び前記読取装置本体の一方に接続される第１ヒンジと、通電することで発生する電磁力で、前記原稿台カバー及び前記読取装置本体の他方と前記第１ヒンジとを接続可能な第１電磁手段と、を有し、主走査方向における一方側に配設される第１接離ヒンジ部と、
前記原稿台カバー及び前記読取装置本体の一方に接続される第２ヒンジと、通電することで発生する電磁力で、前記原稿台カバー及び前記読取装置本体の他方と前記第２ヒンジとを接続可能な第２電磁手段と、を有し、副走査方向における一方側に配設される第２接離ヒンジ部と、
前記第１電磁手段及び前記第２電磁手段の一方を通電して、前記原稿台カバー及び前記読取装置本体の前記他方と、前記第１ヒンジ又は前記第２ヒンジと、を電磁力で接続させる制御手段と、を備えた、
ことを特徴とする画像読取装置。
【請求項２】
ユーザによる所定の動作に応じて、前記第１電磁手段及び前記第２電磁手段の一方を通電させるための所定の切替え信号を出力する切替え信号出力手段を備え、
前記制御手段は、前記切替え信号出力手段が出力する前記切替え信号の入力に応じて、前記第１電磁手段及び前記第２電磁手段への通電制御を行う、
ことを特徴とする請求項１に記載の画像読取装置。
【請求項３】
前記切替え信号出力手段は、ユーザが押圧すると第１切替え信号を出力する第１ボタンと、ユーザが押圧すると第２切替え信号を出力する第２ボタンと、を有し、
前記制御手段は、前記第１切替え信号が入力されると、前記第１電磁手段に対して、前記原稿台カバー及び前記読取装置本体の前記他方と前記第１ヒンジとを接続させる方向に作用する電磁力を発生させる通電制御を行い、前記第２切替え信号が入力されると、前記第２電磁手段に対して、前記原稿台カバー及び前記読取装置本体の前記他方と前記第２ヒンジとを接続させる方向に作用する電磁力を発生させる通電制御を行う、
ことを特徴とする請求項２に記載の画像読取装置。
【請求項４】
前記原稿台カバーは、主走査方向における他方側に設けられる第１取っ手と、副走査方向における他方側に設けられる第２取っ手と、を有し、
前記切替え信号出力手段は、前記第１取っ手へのユーザの接触を検知すると第１切替え信号を出力する第１検知センサと、前記第２取っ手へユーザの接触を検知すると第２切替え信号を出力する第２検知センサと、を有し、
前記制御手段は、前記第１切替え信号が入力されると、前記第１電磁手段に対して、前記原稿台カバー及び前記読取装置本体の前記他方と前記第１ヒンジとを接続させる方向に作用する電磁力を発生させる通電制御を行い、前記第２切替え信号が入力されると、前記第２電磁手段に対して、前記原稿台カバー及び前記読取装置本体の前記他方と前記第２ヒンジとを接続させる方向に作用する電磁力を発生させる通電制御を行う、
ことを特徴とする請求項２又は３に記載の画像読取装置。
【請求項５】
前記制御手段は、原稿を読み取る際は、前記第１電磁手段及び前記第２電磁手段に対して、前記原稿台カバーの前記他方及び前記読取装置本体の前記他方と、前記第１ヒンジ及び前記第２ヒンジと、をそれぞれ接続させる方向に作用する電磁力を発生させる通電制御を行う、
ことを特徴とする請求項３又は４に記載の画像読取装置。
【請求項６】
前記制御手段は、前記第１切替え信号が入力されると、少なくとも前記原稿台カバーを閉じる際に、前記第２電磁手段に対して、前記原稿台カバー及び前記読取装置本体の前記他方と前記第２ヒンジとを反発させる方向に作用する電磁力を発生させる通電制御を行い、前記第２切替え信号が入力されると、少なくとも前記原稿台カバーを閉じる際に、前記第１電磁手段に対して、前記原稿台カバー及び前記読取装置本体の前記他方と前記第１ヒンジとを反発させる方向に作用する電磁力を発生させる通電制御を行う、
ことを特徴とする請求項３から５の何れか１項に記載の画像読取装置。
【請求項７】
前記第１電磁手段は、前記第１ヒンジを接離自在かつ固定可能な第１固定部と、前記第１ヒンジを前記第１固定部に案内する第１案内部と、を有し、
前記第２電磁手段は、前記第２ヒンジを接離自在且つ固定可能な第２固定部と、前記第２ヒンジを前記第２固定部に案内する第２案内部と、を有する、
ことを特徴とする請求項１から６の何れか１項に記載の画像読取装置。
【請求項８】
原稿を所定の画像読取位置に給送可能な原稿自動給送装置を備え、
前記原稿自動給送装置は、原稿台カバーの副走査方向における一方側に位置するように、前記原稿台カバーと一体で形成される、
ことを特徴とする請求項１から７の何れか１項に記載の画像読取装置。
【請求項９】
請求項１から８の何れか１項に記載の画像読取装置と、
前記画像読取装置により読み取られた画像をシートに形成する画像形成装置本体と、を備えた、
ことを特徴とする画像形成装置。
【発明の詳細な説明】
【技術分野】
【０００１】
本発明は、２方向から開閉可能に構成された原稿台カバーを有する画像読取装置及びこれを備える画像形成装置に関する。
【背景技術】
【０００２】
従来、原稿台ガラスの上に原稿を載置し、原稿台ガラスの下方から、原稿に光を照射して原稿の画像を読み取る画像読取装置が知られている。このような画像読取装置は、上面に原稿台ガラスを有する読取装置本体に原稿台カバーが開閉自在に支持されており、例えば、原稿台カバーを閉じることで原稿台ガラス上に載置された原稿を押圧して、画像読み取り時の原稿の動きを規制するようになっている。
【０００３】
ところで、上述の原稿台カバーは、一般に、ヒンジによって読取装置本体に開閉自在に連結されている。そのため、例えば、原稿台ガラスよりも大きな原稿の画像を読み取る場合、原稿台ガラスに原稿を載置する際に、ヒンジが邪魔になって、原稿を折り曲げたりしないと必要な部分の画像を原稿台ガラス上の所定の位置に位置させることができない場合がある。
【０００４】
これに対しては、原稿台カバーを２方向から開閉可能にすることで、原稿台ガラス上での原稿載置の自由度を向上させた画像読取装置が提案されている（例えば、特許文献１参照）。
【先行技術文献】
【特許文献】
【０００５】
【特許文献１】特開平９−２０４０５７号公報
【発明の概要】
【発明が解決しようとする課題】
【０００６】
しかしながら、特許文献１に記載の画像読取装置は、読取装置本体と原稿台カバーとを連結するヒンジの一部が、読取装置本体から原稿台ガラスよりも上方に突出している。そのため、原稿を原稿台ガラス上に載置すると、原稿の大きさ、原稿の載置位置又はヒンジの位置等によっては、突出したヒンジの一部が原稿台ガラスに載置した原稿に干渉する場合がある。原稿台ガラス上の原稿と突出したヒンジの一部とが干渉すると、例えば、突出したヒンジの一部の上に原稿を位置させたまま原稿台カバーを閉じると、原稿がヒンジによって傷つくおそれがある。
【０００７】
そこで、本発明は、原稿を傷つけることなく、様々な大きさの原稿の画像を容易に読み取り可能な画像読取装置及びこれを備える画像形成装置を提供することを目的とする。
【課題を解決するための手段】
【０００８】
本発明は、画像読取装置において、原稿を載置可能な原稿台ガラスと、前記原稿台ガラスに載置された原稿の画像を読み取る画像読取手段と、を有する読取装置本体と、前記原稿台ガラスに載置された原稿を押圧可能な原稿台カバーと、前記原稿台カバー及び前記読取装置本体の一方に接続される第１ヒンジと、通電することで発生する電磁力で、前記原稿台カバー及び前記読取装置本体の他方と前記第１ヒンジとを接続可能な第１電磁手段と、を有し、主走査方向における一方側に配設される第１接離ヒンジ部と、前記原稿台カバー及び前記読取装置本体の一方に接続される第２ヒンジと、通電することで発生する電磁力で、前記原稿台カバー及び前記読取装置本体の他方と前記第２ヒンジとを接続可能な第２電磁手段と、を有し、副走査方向における一方側に配設される第２接離ヒンジ部と、
前記第１電磁手段及び前記第２電磁手段の一方を通電して、前記原稿台カバー及び前記読取装置本体の前記他方と、前記第１ヒンジ又は前記第２ヒンジと、を電磁力で接続させる制御手段と、を備えたことを特徴とする。
【発明の効果】
【０００９】
本発明によれば、原稿を傷つけることなく、様々な大きさの原稿の画像を容易に読み取り可能な画像読取装置及びこれを備える画像形成装置を提供することができる。
【図面の簡単な説明】
【００１０】
【図１】本発明の第１実施形態に係るプリンタを模式的に示す断面図である。
【図２】第１実施形態に係るプリンタを上方から見た平面図である。
【図３】第１実施形態に係るプリンタの機能を概略的に示す機能ブロック図である。
【図４】第１実施形態に係る第１ヒンジ部を側面側から見た断面図である。
【図５】第１実施形態に係る第１ヒンジ部を背面側から見た断面図である。
【図６】原稿台カバーを開閉させて原稿の画像を読み取る読取り動作を示すフローチャートである。
【図７】原稿台カバーを開閉させて原稿の画像を読み取る読取り動作を示すフローチャートである。
【図８】第１ヒンジ部を接続させた場合の原稿台カバーの開閉状態を模式的に示す図である。
【図９】第２ヒンジ部を接続させた場合の原稿台カバーの開閉状態を模式的に示す図である。
【図１０】第２実施形態に係る第１ヒンジ部を側面側から見た断面図である。
【図１１】第２実施形態に係る第１ヒンジ部を背面側から見た断面図である。
【発明を実施するための形態】
【００１１】
本発明の実施形態に係る画像形成装置について、図面を参照しながら説明する。本発明の実施形態に係る画像形成装置は、複写機、プリンタ、ファクシミリ及びこれらの複合機等、２方向から開閉可能に構成された原稿台カバーを有する画像読取装置を備えた画像形成装置である。以下においては、本発明の画像形成装置の一例として、電子写真方式のレーザビームプリンタ（以下、単に「プリンタ」という）を用いて説明する。
【００１２】
＜第１実施形態＞
第１実施形態に係るプリンタ１００について、図１から図９を参照しながら説明する。まず、第１実施形態に係るプリンタ１００の概略構成について、図１から図３を参照しながら説明する。図１は、本発明の実施形態に係るプリンタ１００を模式的に示す断面図である。図２は、第１実施形態に係るプリンタ１００を上方から見た平面図である。図３は、本実施形態に係るプリンタ１００の機能を概略的に示す機能ブロック図である。
【００１３】
図１から図３に示すように、プリンタ１００は、原稿の画像を読み取る画像読取装置１０１と、シートに画像を形成するプリンタ本体（画像形成装置本体）１０２と、画像読取装置１０１及びプリンタ本体１０２を操作するための操作部１０３と、操作部１０３による操作に基づいて画像読取装置１０１及びプリンタ本体１０２を制御する制御部（制御手段）１０４と、を備えている。
【００１４】
画像読取装置１０１は、原稿を自動給送する原稿自動給送部４００と、原稿の画像を読み取る読取装置本体４１０と、原稿自動給送部４００を読取装置本体４１０に接離自在且つ回動自在に連結可能な第１ヒンジ部４３０及び第２ヒンジ部４４０と、第１ヒンジ部４３０及び第２ヒンジ部４４０を接離させるための所定の切替え信号を発信する第１検知センサ４５０ａ、第２検知センサ４５０ｂ、第１ボタン４６０ａ及び第２ボタン４６０ｂと、を備えている。なお、画像読取装置１０１については、後に詳しく説明する。
【００１５】
プリンタ本体１０２は、シートを給送するシート給送部１０と、シートを手差し給送可能な手差し給送部２０と、シート給送部１０又は手差し給送部２０により給送されるシートに画像を形成する画像形成部３０と、を備えている。
【００１６】
シート給送部１０は、シートを積載するシート積載部１１と、シート積載部１１に積載されたシートを１枚ずつ分離給送する分離給送部１２と、を備えている。シート積載部１１は、回転軸１３を中心に回動する中板１４を備えており、中板１４は、シートを給送する際に回動してシートを上方に持ち上げる。分離給送部１２は、中板１４により持ち上げられたシートを給送するピックアップローラ１５と、ピックアップローラ１５により給送されるシートを１枚ずつに分離する分離ローラ対１６と、を備えている。
【００１７】
手差し給送部２０は、シートを積載可能な手差しトレイ２１と、手差しトレイ２１に積載されたシートを１枚ずつ分離給送する分離給送部２２と、を備えている。手差しトレイ２１は、プリンタ本体１０２に回動自在に支持されており、手差し給送する際には、回動させることでシートを積載可能になる。分離給送部２２は、手差しトレイ２１に積載されたシートを給送するピックアップローラ２３と、ピックアップローラ２３により給送されるシートを１枚ずつに分離する分離ローラ２４及び分離パッド２５と、を備えている。
【００１８】
画像形成部３０は、イエロー（Ｙ）、マゼンタ（Ｍ）、シアン（Ｃ）、ブラック（Ｂ）の画像を形成する４つのプロセスカートリッジ３１Ｙ〜３１Ｂと、後述する感光体ドラム３００Ｙ〜３００Ｂの表面を露光する露光装置３２と、感光体ドラム３００Ｙ〜３００Ｂの表面に形成されたトナー像をシートに転写する転写部（転写手段）３３と、転写したトナー像をシートに定着させる定着部３４と、を備えている。なお、符号の最後に付すアルファベット（Ｙ、Ｍ、Ｃ、Ｂ）は、それぞれの色（イエロー、マゼンタ、シアン、ブラック）を示している。
【００１９】
４つのプロセスカートリッジ３１Ｙ〜３１Ｂのそれぞれは、プリンタ本体１０２から取り外し可能に構成されており、交換可能となっている。なお、４つのプロセスカートリッジ３１Ｙ〜３１Ｂは、形成する画像の色が異なること以外は同じ構成であるため、イエロー（Ｙ）の画像を形成するプロセスカートリッジ３１Ｙの構成を説明することで、プロセスカートリッジ３１Ｍ〜３１Ｋの説明は省略する。
【００２０】
プロセスカートリッジ３１Ｙは、像担持体としての感光体ドラム３００Ｙと、感光体ドラム３００Ｙを帯電させる帯電器３１０Ｙと、感光体ドラム３００Ｙ上に形成された静電潜像を現像する現像装置３２０Ｙと、感光体ドラム３００Ｙの表面に残留するトナーを除去するドラムクリーナ３３０Ｙと、を備えている。現像装置３２０Ｙは、感光体ドラム３００Ｙを現像する現像装置本体３２１Ｙと、現像装置本体３２１Ｙにトナーを供給するトナーカートリッジ３２２Ｙと、を備えている。トナーカートリッジ３２２Ｙは、現像装置本体３２１Ｙに着脱可能に構成されており、収容されたトナーが無くなると、現像装置本体３２１Ｙから取り外して、交換することができるようになっている。
【００２１】
露光装置３２は、レーザ光を照射する光源（図示せず）と、レーザ光を感光体ドラム３００Ｙ〜３００Ｂに導く複数のミラー（図示せず）等と、を備えている。転写部３３は、感光体ドラム３００Ｙ〜３００Ｂに形成されたトナー像を担持する中間転写ベルト３５と、感光体ドラム３００Ｙ〜３００Ｂに形成されたトナー像を中間転写ベルト３５に一次転写する一次転写ローラ３６Ｙ〜３６Ｂと、中間転写ベルト３５に転写されたトナー像をシートに二次転写する二次転写ローラ３７と、中間転写ベルト３５に残留するトナーを除去するベルトクリーナ３８と、を備えている。中間転写ベルト３５は、駆動ローラ３９ａ及び従動ローラ３９ｂに掛け渡されており、一次転写ローラ３６Ｙ〜３６Ｂによって感光体ドラム３００Ｙ〜３００Ｂに押し付けられている。二次転写ローラ３７は、駆動ローラ３９ａとで中間転写ベルト３５をニップ（挟持）しており、ニップ部Ｎで中間転写ベルト３５が担持するトナー像をシートに転写する。定着部３１は、シートを加熱する加熱ローラ３１ａと、加熱ローラ３１ａに圧接する加圧ローラ３１ｂと、を備えている、
【００２２】
図２に示すように、操作部１０３は、所定の情報を表示する表示部１０３ａと、ユーザが画像読取装置１０１及びプリンタ本体１０２への指示を入力する入力部１０３ｂと、を備えている。本実施形態においては、操作部１０３は、読取装置本体４１０の正面側に配設されている。なお、本実施形態における正面側とは図１の表面側且つ図２の下側であり、図１の裏面側且つ図２の上側が背面側となる。また、図２に示す短手方向が前後方向であり、図２に示す長手方向が前後方向と直交する幅方向となる。
【００２３】
図３に示すように、制御部１０４は、シート給送部１０、手差し給送部２０、画像形成部３０、原稿自動給送部４００及び読取装置本体４１０を駆動制御するＣＰＵ１０４ａと、各種プログラムや各種情報等を記憶するメモリ１０４ｂと、を備えている。制御部１０４は、ユーザによる操作部１０３への操作に基づいて、これらを用いてシート給送部１０、手差し給送部２０、画像形成部３０、原稿自動給送部４００及び読取装置本体４１０の動作を統合して制御し、シートに画像を形成させる。
【００２４】
次に、上述のように構成されたプリンタ１００による画像形成動作（制御部１０４による画像形成制御）について説明する。本実施形態においては、原稿自動給送部４００により給送され、読取装置本体４１０により読み取られた原稿の画像を、シート給送部１０により給送されるシートに画像形成部３０が形成する画像形成動作を用いて説明する。
【００２５】
ユーザによる操作部１０３の入力部１０３ｂへの入力により、画像形成開始信号が制御部１０４に入力されると、原稿自動給送部４００に載置された原稿が原稿読取位置に向けて自動給送され、原稿読取位置で読取装置本体４１０によって画像が読み取られる。
【００２６】
読取装置本体４１０により原稿の画像が読み取られると、読み取られた原稿の画像情報に基づいて、露光装置３２が感光体ドラム３００Ｙ〜３００Ｂに向けてレーザ光を照射する。このとき、感光体ドラム３００Ｙ〜３００Ｂは、帯電器３１０Ｙ〜３１０Ｂにより予め帯電されており、レーザ光が照射されることで感光体ドラム３００Ｙ〜３００Ｂ上に静電潜像が形成される。その後、現像装置３２０Ｙ〜３２０Ｂにより感光体ドラム３００Ｙ〜３００Ｂ上の静電潜像が現像され、感光体ドラム３００Ｙ〜３００Ｂ上に、イエロー（Ｙ）、マゼンタ（Ｍ）、シアン（Ｃ）及びブラック（Ｂ）のトナー像が形成される。感光体ドラム３００Ｙ〜３００Ｂ上に形成された各色のトナー像は、一次転写ローラ３６Ｙ〜３６Ｂによって中間転写ベルト３５に重畳転写され、重畳転写されたトナー像（フルカラーのトナー像）は、中間転写ベルト３５に担持された状態でニップ部Ｎまで搬送される。
【００２７】
上述の画像形成動作に並行して、シート積載部１１に積載されたシートが、分離給送部１２によって１枚ずつに分離されながら、ピックアップローラ１５によりシート搬送路１０５に給送される。そして、ニップ部Ｎのシート搬送方向上流にあるレジストローラ対１０６で、斜行が補正されると共に、所定の搬送タイミングでニップ部Ｎに搬送される。ニップ部Ｎに搬送されたシートは、二次転写ローラ３７によって中間転写ベルト３５が担持するフルカラーのトナー像が転写される。
【００２８】
トナー像が転写されたシートは、定着部３４で加熱・加圧されることでトナー像が溶融定着され、排出ローラ対１０７により装置外に排出される。装置外に排出されたシートは、排出シート積載部１０８に積載される。
【００２９】
なお、シートの両面（第１面及び第２面）に画像を形成する場合には、第１面に画像が形成されたシートが装置外に排出される前に、排出ローラ対１０７を逆回転させて両面搬送路１０９に搬送し、両面搬送路１０９を介して画像形成部３０に再搬送する。そして、第１面と同様に、第２面に画像を形成し、装置外に排出する。装置外に排出されたシートは、排出シート積載部１０８に積載される。
【００３０】
次に、上述した画像読取装置１０１について、図１及び図２に加え、図４から図９を参照しながら説明する。まず、画像読取装置１０１の概略構成について、図１、図２、図４及び図５を参照しながら説明する。図４は、第１実施形態に係る第１ヒンジ部４３０を側面側から見た断面図である。図５は、第１実施形態に係る第１ヒンジ部４３０を背面側から見た断面図である。
【００３１】
上述したように、画像読取装置１０１は、原稿自動給送部４００と、読取装置本体４１０と、第１ヒンジ部４３０と、第２ヒンジ部４４０と、第１検知センサ４５０ａ及び第２検知センサ４５０ｂと、第１ボタン４６０ａ及び第２ボタン４６０ｂと、を備えている。
【００３２】
図１に示すように、原稿自動給送部４００は、原稿を自動給送する給送装置本体（Single Paper Feeder；ＳＰＦ）４０１と、給送装置本体４０１と一体で形成され、読取装置本体４１０上に載置された原稿を押圧可能な原稿台カバー４０２と、を備えている。図２に示すように、給送装置本体４０１は、原稿台カバー４０２に対して第２ヒンジ部４４０が設けられている側に位置している。原稿台カバー４０２に対して給送装置本体４０１を第２ヒンジ部４４０側に設けることで、原稿自動給送部４００の重心が第２ヒンジ部４４０側になり、第２ヒンジ部４４０を用いて原稿台カバー４０２を開閉させる際のユーザへの負担が軽減される。
【００３３】
給送装置本体４０１は、原稿を積載する原稿給送トレイ４０３と、原稿を１枚ずつ分離給送する分離給送手段４０４と、原稿を原稿読取位置に搬送する搬送ローラ対４０５と、画像が読み取られた原稿を排出する排出ローラ対４０６と、を備えている。原稿給送トレイ４０３に積載された原稿は、分離給送手段４０４により１枚ずつ分離給送され、搬送ローラ対４０５により所定の画像読取位置に搬送される。原稿読取位置に搬送された原稿は、所定の原稿読取位置で読取装置本体４１０により画像が読み取られ、排出ローラ対４０６によって原稿台カバー４０２の上面に設けられた原稿排出部４０７に排出される。なお、原稿の両面の画像を読み取る場合は、原稿が原稿排出部４０７に排出される前に排出ローラ対４０６を逆回転させて原稿を両面搬送路４０８に搬送し、第１面と同様の動作により第２面の画像を読み取る。
【００３４】
原稿台カバー４０２は、略矩形板状に形成されており、短手方向（前後方向）における一方側に第１ヒンジ部４３０が取り付けられ、短手方向における一方側と反対側の他方側には第１取っ手４０２ａが形成されている。また、原稿台カバー４０２の長手方向（幅方向）における一方側には第２ヒンジ部４４０が取り付けられ、長手方向における一方側と反対側の他方側には第２取っ手４０２ｂが形成されている。なお、本実施形態においては、上述した短手方向が本発明の主走査方向であり、長手方向が副走査方向となっている。
【００３５】
第１取っ手４０２ａは、ユーザが把持可能に形成されており、第１取っ手４０２ａには第１検知センサ４５０ａが配設されている。同様に、第２取っ手４０２ｂは、ユーザが把持可能に形成されており、第２取っ手４０２ｂには第２検知センサ４５０ｂが配設されている。
【００３６】
読取装置本体４１０は、上面に原稿台ガラス４１１が配置された筐体４１２と、筐体４１２の内部に配置される画像読取部（画像読取手段）４２０と、原稿台カバーの開閉状態を検出する不図示の開閉検知センサと、原稿台ガラス４１１上の原稿のサイズを検知する不図示の原稿サイズ検知センサと、を備えている。
【００３７】
画像読取部４２０は、矩形状の原稿台ガラス４１１上に載置された原稿に向けて光を照射するランプ（光源）４２１と、原稿からの反射光を反射させる複数のミラー４２２と、複数のミラー４２２によって反射された原稿の反射光を集光するレンズ４２３と、レンズ４２３により集光された光を電気信号に光電変換するイメージセンサ４２４と、を備えている。
【００３８】
ランプ４２１及び複数のミラー４２２は、不図示のキャリッジに配設されており、キャリッジは副走査方向に移動可能に構成されている。レンズ４２３は、入射方向が副走査方向と略平行になるように、原稿台ガラス４１１の下方に配設されている。イメージセンサ４２４は、レンズ４２３の入射方向における下流側に配設されており、レンズ４２３により集光された光を光電変換する。
【００３９】
開閉検知センサは、主走査方向における第１ヒンジ部４３０と反対側（正面側）、且つ副走査方向における第２ヒンジ部４４０と反対側に端部に設けられており、原稿台カバー４０２が閉じられた際に読取装置本体４１０に接触することで、原稿台カバー４０２の開閉状態を検出する。例えば、開閉検知センサは、読取装置本体４１０に接触することで、閉信号を出力する。原稿サイズ検知センサは、原稿台ガラス４１１の上に載置された原稿に向けて光を照射する複数の発光部と、複数の発光部が発光した光を受光可能な複数の受光部と、を備えており、複数の受光部が受光した領域に基づいて原稿の大きさを検知する。
【００４０】
第１ヒンジ部４３０は、短手方向における一方側である背面側に２つ設けられており、２つの第１ヒンジ部４３０は、短手方向における背面側において、長手方向の中心に対して等間隔となる位置に設けられている。
【００４１】
第１ヒンジ部４３０は、図４（ａ）及び図５（ａ）に示すように、原稿台カバー４０２に取り付けられるヒンジ本体４３１と、読取装置本体４１０に取り付けられるヒンジ固定部４３２と、を備えており、図４（ｂ）及び図５（ｂ）に示すように、ヒンジ本体４３１とヒンジ固定部４３２とは、接離自在に構成されている。なお、第１実施形態においては、第１ヒンジ部４３０が本発明の第１接離ヒンジ部を構成し、ヒンジ本体４３１が本発明の第１ヒンジを構成し、ヒンジ固定部４３２が本発明の第１電磁手段を構成している。
【００４２】
ヒンジ本体４３１は、原稿台カバー４０２に接続される接続部４３３と、接続部４３３に連結されるカム機構４３４と、磁力でヒンジ固定部４３２に接続する磁石部４３５と、を備えている。カム機構４３４は、接続部４３３に接続され、回転軸４３６ａを中心に回転する回転カム４３６と、回転カム４３６のカム面４３６ｂと接触するカムフォロア４３７と、カムフォロア４３７を回転カム４３６に向けて付勢するスプリング４３８と、を備えている。
【００４３】
回転カム４３６は、接続部４３３を介して接続される原稿台カバー４０２が閉じられた状態（原稿台カバー４０２が読取装置本体４１０に接触している状態）から、原稿台カバー４０２を開く方向に所定角度（例えば、３０度）回転すると、カム面４３６ｂの上死点をカムフォロア４３７が超えるように形成されている。また回転カム４３６は、カムフォロア４３７がカム面４３６ｂの上死点を超えるまではスプリング４３８の付勢力で原稿台カバー４０２を閉じる方向に付勢され、カムフォロア４３７がカム面４３６ｂ上死点を超えると、スプリング４３８の付勢力で原稿台カバー４０２を開ける方向に付勢されるように形成されている。つまり、カム機構４３４は、原稿台カバー４０２が所定量開くまでは、原稿台カバー４０２を閉じる方向に付勢し、原稿台カバー４０２が所定量以上開くと、原稿台カバー４０２を開く方向に付勢するように構成されている。
【００４４】
磁石部４３５は、ヒンジ固定部４３２が通電していない状態（電磁力が発生していない状態）において、ヒンジ本体４３１をヒンジ固定部４３２に接続させるために設けられている。
【００４５】
ヒンジ固定部４３２は、鉄心部４３９ａと、鉄心部４３９ａに巻かれたコイル部４３９ｂと、を備えており、コイル部４３９ｂには、不図示の電極が接続されている。不図示の電極からコイル部４３９ｂに電流を流すことにより、ヒンジ固定部４３２に電界が発生し、電流を流す方向に応じて、ヒンジ本体４３１を引き付ける方向に作用する力（接続させる方向に作用する力）又はヒンジ本体４３１を引き離す方向に作用する力（反発させる方向に作用する力）を発生させることができる。また、ヒンジ固定部４３２は、ヒンジ本体４３１との接続面４３２ａが平面上に形成されると共に、原稿台ガラス４１１の原稿載置面４１１ａから突出しないように、原稿載置面４１１ａと略同一の高さに配設されている。接続面４３２ａを原稿載置面４１１ａと略同一の高さとすることで、ヒンジ本体４３１とヒンジ固定部４３２との間に、原稿載置面４１１ａに載置された原稿が位置した場合（ヒンジ本体４３１とヒンジ固定部４３２とで原稿を挟んだ状態）においても、原稿が傷つくことを防止することができる。
【００４６】
第２ヒンジ部４４０は、長手方向における一方側である左側に２つ設けられており、２つの第２ヒンジ部４４０は、長手方向における左側において、短手方向の中心に対して等間隔となる位置に設けられている。なお、第２ヒンジ部４４０は、第１ヒンジ部４３０と構成が同一であるため、第１ヒンジ部４３０の構成の説明を援用して、その説明を省略する。また、第１実施形態においては、第２ヒンジ部４４０が本発明の第２接離ヒンジ部を構成し、ヒンジ本体４４１が本発明の第２ヒンジを構成し、ヒンジ固定部４４２が本発明の第２電磁手段を構成している。
【００４７】
第１検知センサ４５０ａは、第１取っ手４０２ａに配設されており、ユーザが第１取っ手４０２ａを把持すると、第１ヒンジ部４３０を接続させる方向に作用する電磁力を発生させるための第１切替え信号を出力する。第２検知センサ４５０ｂは、第２取っ手４０２ｂに配設されており、ユーザが第２取っ手４０２ｂを把持すると、第２ヒンジ部４４０を接続させる方向に作用する電磁力を発生させるための第２切替え信号を出力する。
【００４８】
第１ボタン４６０ａは、操作部１０３に配設されており、ユーザが押圧すると、第１ヒンジ部４３０を接続させる方向に作用する電磁力を発生させるための第１切替え信号を出力する。第２ボタン４６０ｂは、操作部１０３に配設されており、ユーザが押圧すると、第２ヒンジ部４４０を接続させるための方向に作用する電磁力を発生させる第２切替え信号を出力する。
【００４９】
第１検知センサ４５０ａ及び第１ボタン４６０ａが出力した第１切替え信号を制御部１０４が入力すると、制御部１０４は、第１ヒンジ部４３０を接続させる方向に作用する電磁力が発生するようにヒンジ固定部４３２を通電制御する。同様に、第２検知センサ４５０ｂ及び第２ボタン４６０ｂが出力した第２切替え信号を制御部１０４が入力すると、制御部１０４は、第２ヒンジ部４４０を接続させる方向に作用する電磁力が発生するようにヒンジ固定部４４２を通電制御する。
【００５０】
次に、上述のように構成された画像読取装置１０１による原稿の画像読取り動作（制御部１０４による画像読取り制御）について、図６から図９を参照しながら説明する。図６及び図７は、原稿台カバー４０２を開閉させて原稿の画像を読み取る読取り動作を示すフローチャートである。図８は、第１ヒンジ部４３０を接続させた場合の原稿台カバー４０２の開閉状態を模式的に示す図である。図９は、第２ヒンジ部４４０を接続させた場合の原稿台カバー４０２の開閉状態を模式的に示す図である。
【００５１】
なお、本実施形態においては、原稿台カバー４０２の原稿載置面４１１ａに載置された原稿の画像を読み取る読取り動作を用いて説明する。また、以下においては、第１ヒンジ部４３０を用いて原稿台カバー４０２を開閉させる動作を「前開き」といい、第２ヒンジ部４４０を用いて原稿台カバー４０２を開閉させる動作を「横開き」という。
【００５２】
まず、制御部１０４は、原稿台カバー４０２の開閉方向の検出を行う（ステップＳ１０）。原稿台カバー４０２の開閉方向の検出は、ユーザが第１ボタン４６０ａ又は第２ボタン４６０ｂを押圧することで出力される第１切替え信号又は第２切替え信号を制御部１０４が入力することでも可能となるが、ここでは、ユーザが第１取っ手４０２ａ又は第２取っ手４０２ｂを把持することで出力される第１切替え信号又は第２切替え信号を制御部１０４が入力することで検出される場合を用いて説明する。また、第１切替え信号及び第２切替え信号が入力される前は、第１ヒンジ部４３０及び第２ヒンジ部４４０は、それぞれのヒンジ本体４３１、４４１に設けられる磁石部４３５の磁力により、ヒンジ本体４３１、４４１とヒンジ固定部４３２、４４２とが接続された状態になっている。
【００５３】
例えば、ユーザが第１取っ手４０２ａを把持（ステップＳ１１で第１取っ手）し、制御部１０４が第１切替え信号を入力すると、制御部１０４は、ヒンジ本体４３１がヒンジ固定部４３２に接続される方向に作用する電磁力がヒンジ固定部４３２に発生するように、ヒンジ固定部４３２のコイル部４３９ｂに電流を流す（ステップＳ１２）。これにより、第１ヒンジ部４３０のヒンジ本体４３１とヒンジ固定部４３２とが電磁力により強固に接続され、第１ヒンジ部４３０がヒンジとして機能するようになる。つまり、原稿台カバー４０２の前開きが可能になる。なお、このとき第２ヒンジ部４４０には電流を流さないため、第２ヒンジ部４４０のヒンジ本体４４１とヒンジ固定部４４２とは、ヒンジ本体４４１の磁石部４３５の磁力により接続された状態のままになっている。
【００５４】
原稿台カバー４０２の前開きが可能になると、図８（ａ）及び（ｂ）に示すように、ユーザは、第２ヒンジ部４４０に作用している磁力に抗して原稿台カバー４０２を前開きし、原稿台ガラス４１１の原稿載置面４１１ａに原稿を載置する。なお、このとき、第２ヒンジ部４４０のヒンジ固定部４４２に対して、ヒンジ本体４４１が反発する方向に作用する電磁力が発生するように電流を流すことで、原稿台カバー４０２がヒンジ本体４４１の磁石部４３５の磁力に抗して閉じた状態から浮き上がり、ユーザは、容易に原稿台カバー４０２を前開きすることが可能になる。
【００５５】
一方、例えば、ユーザが第２取っ手４０２ｂを把持（ステップＳ１１で第２取っ手）し、制御部１０４が第２切替え信号を入力すると、制御部１０４は、ヒンジ本体４４１がヒンジ固定部４４２に接続される方向に作用する電磁力がヒンジ固定部４４２に発生するように、ヒンジ固定部４４２のコイル部４３９ｂに電流を流す（ステップＳ１３）。これにより、第２ヒンジ部４４０のヒンジ本体４４１とヒンジ固定部４４２とが強固に接続され、第２ヒンジ部４４０がヒンジとして機能するようになる。つまり、原稿台カバー４０２の横開きが可能になる。なお、このとき第１ヒンジ部４３０には電流を流さないため、第１ヒンジ部４３０のヒンジ本体４３１とヒンジ固定部４３２とは、ヒンジ本体４３１の磁石部４３５の磁力により接続された状態のままになっている。
【００５６】
原稿台カバー４０２の横開きが可能になると、図９（ａ）及び（ｂ）に示すように、ユーザは、第１ヒンジ部４３０に作用している磁力に抗して原稿台カバー４０２を横開きし、原稿台ガラス４１１の原稿載置面４１１ａに原稿を載置する。なお、このとき、第１ヒンジ部４３０のヒンジ固定部４３２に対して、ヒンジ本体４３１が反発する方向に作用する電磁力が発生するように電流を流すことで、原稿台カバー４０２がヒンジ本体４３１の磁石部４３５の磁力に抗して閉じた状態から浮き上がり、ユーザは、容易に原稿台カバー４０２を横開きすることが可能になる。
【００５７】
ユーザにより原稿載置面４１１ａに原稿が載置され（ステップＳ１４でＹＥＳ）、原稿台カバー４０２が閉じられる（ステップＳ１５でＹＥＳ）と、制御部１０４は、ヒンジ本体４３１がヒンジ固定部４３２に接続される方向に作用する電磁力がヒンジ固定部４３２に発生するように、ヒンジ固定部４３２のコイル部４３９ｂに電流を流す（ステップＳ１７）。同様に、制御部１０４は、ヒンジ本体４４１がヒンジ固定部４４２に接続される方向に作用する電磁力がヒンジ固定部４４２に発生するように、ヒンジ固定部４４２のコイル部に電流を流す（ステップＳ１７）。これにより、原稿載置面４１１ａに載置された原稿が原稿台カバー４０２に押圧されて、原稿が安定する。なお、原稿台カバー４０２の開閉は、前述した原稿開閉センサにより検知される。
【００５８】
ここで、例えば、厚みのある原稿（例えば、本）を読み取る場合のように、原稿台ガラス４１１に原稿を載置した状態で原稿台カバー４０２を完全に閉じることができない場合がある。この場合は、操作部１０３の表示部１０３ａに読取りを開始するか否かの表示を行い、ユーザにより読取りを開始する旨が選択された場合（ステップＳ１６でＹＥＳ）はステップＳ１７に進むようにするとよい。この表示は、制御部１０４が第１切替え信号又は第２切替え信号を入力してから、例えば、１０秒以内に原稿台カバー４０２が閉じられない場合に表示するように設定するとよく、読取りを開始する旨が選択されるか、原稿台カバー４０２が閉じられるまで表示される。
【００５９】
次に、読取装置本体４１０による原稿の読取りが行われる（ステップＳ１８）。具体的には、まず、原稿台ガラス４１１上の原稿に向けてランプ４２１が光を照射する。原稿に向けて照射された光は、原稿に当たって反射し、複数のミラー４２２によってレンズ４２３に集光される。レンズ４２３に集光された光は、イメージセンサ４２４によって電気信号に光電変換される。光電変換された電気信号は、露光装置３２に送られ、前述した画像形成動作が行われる。
【００６０】
画像読取動作が終了すると、制御部１０４は、原稿を取り出すための原稿台カバー４０２の開閉方向の検出を行う（ステップＳ１９）。ここで、ユーザにより第１取っ手４０２ａが把持される（ステップＳ２０で第１取っ手）と、制御部１０４は、ヒンジ本体４３１がヒンジ固定部４３２に接続される方向に作用する電磁力がヒンジ固定部４３２に発生するように、ヒンジ固定部４３２のコイル部４３９ｂに電流を流す（ステップＳ２１）。これにより、第１ヒンジ部４３０がヒンジとして機能し、原稿台カバー４０２を前開き可能になる。このとき制御部１０４は、第２ヒンジ部４４０のヒンジ固定部４４２に対して、ヒンジ本体４４１が反発する方向に作用する電磁力が発生するように、ヒンジ固定部４４２のコイル部に電流を流す（ステップＳ２１）。これにより、第２ヒンジ部４４０に原稿台カバー４０２が開く方向に電磁力が作用し、ユーザによる原稿台カバー４０２の前開きが一層容易となる。
【００６１】
一方、ユーザにより第２取っ手４０２ｂが把持される（ステップＳ２０で第２取っ手）と、制御部１０４は、ヒンジ本体４４１がヒンジ固定部４４２に接続される方向に作用する電磁力がヒンジ固定部４４２に発生するように、ヒンジ固定部４４２のコイル部に電流を流す（ステップＳ２２）。これにより、第２ヒンジ部４４０がヒンジとして機能し、原稿台カバー４０２が横開き可能になる。このとき制御部１０４は、第１ヒンジ部４３０のヒンジ固定部４３２に対して、ヒンジ本体４３１が反発する方向に作用する電磁力が発生するように、ヒンジ固定部４３２のコイル部４３９ｂに電流を流す（ステップＳ２２）。これにより、第１ヒンジ部４３０に原稿台カバー４０２が開く方向に電磁力が作用し、ユーザによる原稿台カバー４０２の横開きが一層容易となる。
【００６２】
上述した原稿の読取りは、ユーザによる必要枚数だけ行われ（ステップＳ２３でＹＥＳ）、必要枚数の原稿の読取りが終了する（ステップＳ２３でＮＯ）と、原稿台ガラス４１１上の原稿がユーザにより取り除かれ（ステップＳ２４でＹＥＳ）、原稿台カバー４０２が閉じられる（ステップＳ２５でＹＥＳ）。このとき、第１ヒンジ部４３０及び第２ヒンジ部４４０の一方は、読取装置本体４１０に対して原稿台カバー４０２を反発させる方向の電磁力を原稿台カバー４０２に作用させているため、原稿台カバー４０２を閉じる際の衝撃が緩和される。第１ヒンジ部４３０又は第２ヒンジ部４４０による原稿台カバー４０２を反発させる方向への電磁力は、ユーザが原稿台カバー４０２を反発力に抗して閉じる（開閉検知センサが検知）ことで停止される。つまり、読取装置本体４１０に対して反発した原稿台カバー４０２をユーザが強制的に閉じることで、制御部１０４による第１ヒンジ部４３０又は第２ヒンジ部４４０への反発方向への通電が止められる。
【００６３】
ユーザにより、原稿台カバー４０２が閉じられると、制御部１０４により第１ヒンジ部４３０及び第２ヒンジ部４４０への通電が止められる（ステップＳ２６）。第１ヒンジ部４３０及び第２ヒンジ部４４０への通電が止められると、第１ヒンジ部４３０は、ヒンジ本体４３１の磁石部の磁力により接続された状態になり、第２ヒンジ部４４０は、ヒンジ本体４４１の磁石部の磁力により接続された状態になる。磁力により接続されることで、原稿台カバー４０２が不要に読取装置本体４１０から外れることが防止される。
【００６４】
以上説明したように、第１実施形態に係るプリンタ１００は、原稿台カバー４０２と読取装置本体４１０とを、電磁力により接離自在且つ２方向に開閉自在に構成された第１ヒンジ部４３０及び第２ヒンジ部４４０を備えている。つまり、プリンタ１００は、第１ヒンジ部４３０及び第２ヒンジ部４４０により、原稿台カバー４０２が２方向に開閉可能に構成されている。そのため、例えば、給送装置本体４０１の内部でシートがジャムした場合、原稿台カバー４０２を横開きすることで給送装置本体４０１の内部を上から覗き込むことができる。これにより、ジャムしたシートを容易に発見可能になり、給送装置本体４０１のジャム処理が容易になる。
【００６５】
また、原稿台カバー４０２が２方向に開閉可能に構成されているため、プリンタ１００を壁に近接させて配置することが可能になる。例えば、背面側を壁に近づけて配置しても横開きすることで原稿の読取りを行うことができ、左側側面を壁に近づけて配置しても前開きすることで原稿の読取りを行うことができる。つまり、原稿台カバー４０２の開閉方向に基づくプリンタ１００の設置場所の制限が低減される。
【００６６】
また、第１ヒンジ部４３０及び第２ヒンジ部４４０は、原稿台カバー４０２を開閉させるヒンジ本体４３１、４４１と、電磁力を発生させてヒンジ本体４３１、４４１を読取装置本体４１０に接続させるヒンジ固定部４３２、４４２とを備えている。電磁力でヒンジ本体４３１、４４１を読取装置本体４１０に接続させるため、ヒンジ固定部４３２、４４２のヒンジ本体４３１、４４１との接続面を原稿台ガラス４１１の原稿載置面４４１ａと略同一平面上に位置させ、原稿載置面４４１ａからの出っ張りをなくすことができる。そのため、ヒンジ本体４３１、４４１とヒンジ固定部４３２、４４２との間にシートが位置する場合においても、ヒンジ本体４３１、４４１とヒンジ固定部４３２、４４２とに挟まれてシートが傷つくことを防止することができる。これにより、例えば、原稿の大きさや読取り位置によって原稿が第１ヒンジ部４３０又は第２ヒンジ部４４０に干渉するために、原稿台カバー４０２の開閉方向を変えて原稿を配置した場合においても、原稿台カバーを閉じた際に第１ヒンジ部４３０及び第２ヒンジ部４４０によって原稿が傷つくことを防止することができる。その結果、原稿を傷つけることなく、様々な大きさの原稿を容易に読み取ることができる。
【００６７】
また、プリンタ１００は、第１検知センサ４５０ａが発信する第１切替え信号又は第２検知センサ４５０ｂが発信する第２切替え信号を制御部１０４が入力することで、第１ヒンジ部４３０又は第２ヒンジ部４４０への通電制御を行う。第１切替え信号は、ユーザが第１取っ手４０２ａを把持することにより出力され、第２切替え信号は、ユーザが第２取っ手４０２ｂを把持することにより出力させる。つまり、ユーザが第１取っ手４０２ａ又は第２取っ手４０２ｂを把持するだけで前開きか横開きかが制御部１０４により設定され、開閉方向を変えるためのユーザによる特別な作業を必要としない。
【００６８】
また、原稿台カバー４０２の開閉方向は、ユーザが操作部に配置された第１ボタン４６０ａ及び第２ボタン４６０ｂの一方を押圧することでも変更可能であり、第１ボタン４６０ａ及び第２ボタン４６０ｂの一方を押圧するだけなので、変更も容易である。
【００６９】
また、プリンタ１００は、原稿の読取り時は、第１ヒンジ部４３０及び第２ヒンジ部４４０に接続方向に作用する電磁力を発生させる。そのため、原稿を押圧する力が大きくなり、原稿をより安定させることができる。また、例えば、厚手の本等を読み取る場合においても、電磁力で原稿台カバー４０２が本を押さえつけることになるため、ユーザが本を押さえつける必要がなくなる。
【００７０】
また、原稿を取り出す際には、ヒンジとして機能しない方の第１ヒンジ部４３０又は第２ヒンジ部４４０に対して反発する方向の電磁力を作用させる。そのため、原稿台カバー４０２を容易に開くことができるようになる。例えば、磁力によりヒンジ本体４３１、４４１とヒンジ固定部４３２、４４２とが接続している場合においても、反発する方向の電磁力を発生させることで原稿台カバー４０２の取っ手側が磁力に抗して浮くため、容易に原稿台カバー４０２を開くことができる。
【００７１】
＜第２実施形態＞
次に、本発明の第２実施形態に係るプリンタ１００Ａについて、図１０及び図１１を参照しながら説明する。第２実施形態に係るプリンタ１００Ａは、第１ヒンジ部及び第２ヒンジ部のヒンジ固定部に、ヒンジ本体を案内する案内部が設けられている点が第１実施形態と相違する。そのため、ここでは、第１実施形態と相違する点、即ち、第１ヒンジ部及び第２ヒンジ部のヒンジ固定部を中心に説明し、その他の構成については、第１実施形態と同じ符号を付して、その説明を省略する。図１０は、第２実施形態に係る第１ヒンジ部を側面側から見た断面図である。図１１は、第２実施形態に係る第１ヒンジ部を背面側から見た断面図である。
【００７２】
第１ヒンジ部４３０Ａは、図１０（ａ）及び図１１（ａ）に示すように、原稿台カバー４０２に取り付けられるヒンジ本体４３１と、読取装置本体４１０に取り付けられるヒンジ固定部４３２Ａと、を備えており、図１０（ｂ）及び図１０（ｂ）に示すように、ヒンジ本体４３１とヒンジ固定部４３２Ａとは、接離自在に構成されている。なお、第２実施形態においては、第１ヒンジ部４３０が本発明の第１接離ヒンジ部を構成し、ヒンジ本体４３１が本発明の第１ヒンジを構成し、ヒンジ固定部４３２Ａが本発明の第１電磁手段を構成している。
【００７３】
ヒンジ固定部４３２Ａは、鉄心部４３９ａと、鉄心部４３９ａに巻かれたコイル部４３９ｂと、ヒンジ本体４３１をヒンジ固定部４３２Ａの接続面４３２ａに案内する案内部（第１案内部）４３９ｃと、を備えている。案内部４３９ｃは、原稿台ガラス４１１の原稿載置面４１１ａに載置した原稿が傷つかないように、原稿載置面４１１ａよりも僅かに突出している。なお、第２実施形態においては、鉄心部４３９ａ及びコイル部４３９ｂが本発明の第１固定部を構成し、案内部４３９ｃが本発明の第１案内部を構成している。
【００７４】
第２ヒンジ部４４０Ａは、ヒンジ本体４４１と、ヒンジ固定部４４２Ａと、を備えている。ヒンジ固定部４４２Ａは、鉄心部４４９ａと、コイル部４４９ｂと、ヒンジ本体４４１をヒンジ固定部４４２Ａの接続面４４２ａに案内する案内部（第２案内部）４４９ｃと、を備えている。案内部４４９ｃは、原稿台ガラス４１１の原稿載置面４１１ａに載置した原稿が傷つかないように、原稿載置面４１１ａよりも僅かに突出している。なお、第２実施形態においては、鉄心部４４９ａ及びコイル部４４９ｂが本発明の第２固定部を構成し、案内部４４９ｃが本発明の第２案内部を構成している。
【００７５】
以上説明したように、第２実施形態に係る第１ヒンジ部４３０Ａ及び第２ヒンジ部４４０Ａは、ヒンジ本体４３１、４４１をヒンジ固定部４３２、４４２の接続面４３２ａ、４４２ａに案内する案内部４３９ｃ、４４９ｃを備えている。そのため、原稿台カバー４０２を閉じる際にスムーズにヒンジ本体４３１、４４１をヒンジ固定部４３２Ａ、４４２Ａの接続面４３２ａ、４４２ａに位置させることができる。このとき、案内部４３９ｃ、４４９ｃは、原稿台ガラス４１１の原稿載置面４１１ａから僅かに突出しているのみであるため、原稿台ガラス４１１を閉じた際も原稿が案内部４３９ｃ、４４９ｃによって傷つくことも軽減される。
【００７６】
以上、本発明の実施形態について説明したが、本発明は上述した実施形態に限定されるものではない。また、本発明の実施形態に記載された効果は、本発明から生じる最も好適な効果を列挙したに過ぎず、本発明による効果は、本発明の実施形態に記載されたものに限定されない。
【００７７】
例えば、本実施形態においては、原稿台カバー４０２にヒンジ本体４３１、４４１を接続し、読取装置本体４１０にヒンジ固定部４３２、４４２を取り付けたが、原稿台カバー４０２にヒンジ固定部４３２、４４２を取り付け、読取装置本体４１０にヒンジ本体４３１、４４１を接続する構成であってもよい。
【００７８】
また、本実施形態においては、２つの第１ヒンジ部４３０及び２つの第２ヒンジ部４４０を用いて説明したが、第１ヒンジ部４３０及び第２ヒンジ部４４０は、１つ以上あればよく、画像読取装置の大きさに基づいて変更すればよい。
【符号の説明】
【００７９】
１００    レーザビームプリンタ（画像形成装置）
１０１    画像読取装置
１０２    プリンタ本体（画像形成装置本体）
１０４    制御部（制御手段）
４０１    給送装置本体（原稿自動給送装置）
４０２    原稿台カバー
４０２ａ    第１取っ手
４０２ｂ    第２取っ手
４１０    読取装置本体
４１１    原稿台ガラス
４２０    画像読取部（画像読取手段）
４３０    第１ヒンジ部（第１接離ヒンジ部）
４３１    ヒンジ本体（第１ヒンジ）
４３２    ヒンジ固定部（第１固定部）
４４０    第２ヒンジ部（第２接離ヒンジ部）
４４１    ヒンジ本体（第２ヒンジ）
４４２    ヒンジ固定部（第２固定部）
４５０ａ    第１検知センサ
４５０ｂ    第２検知センサ
４６０ａ    第１ボタン
４６０ｂ    第２ボタン
【図１】
2016063503.tif 000003
【図２】
2016063503.tif 000004
【図３】
2016063503.tif 000005
【図４】
2016063503.tif 000006
【図５】
2016063503.tif 000007
【図６】
2016063503.tif 000008
【図７】
2016063503.tif 000009
【図８】
2016063503.tif 000010
【図９】
2016063503.tif 000011
【図１０】
2016063503.tif 000012
【図１１】
2016063503.tif 000013